(57)【要約】【課題】保護継電器に対する作業にかかる作業者の負担軽減を図ること。【解決手段】筐体１０１に対して回動可能に連結された取付部材１０６に、取付部材１０６を貫通する第２の開口２０４を設け、直流地絡保護継電器１０４を第２の開口２０４に挿入することによって取付部材１０６に取り付けた直流制御盤１００を構成した。これにより、取付部材１０６を回動させることにより、直流地絡保護継電器１０４を筐体１０１の正面側に引き出して外部に露出させることができ、直流制御盤１００の正面側において、点検や解線作業などの直流地絡保護継電器１０４に対する作業をおこなうことができる。【選択図】図４
2020178518.tif 000002
【特許請求の範囲】
【請求項１】
複数のパネル部材によって構成される中空の筐体と、
前記筐体の正面に配置されたパネル部材を板厚方向に貫通する第１の開口と、
板厚方向に貫通する第２の開口が形成された板形状をなし、表面を前記筐体の正面側に位置づけた状態で前記第１の開口を塞ぐ第１の位置と、裏面を外部に開放する第２の位置とに選択的に位置づけられる取付部材と、
前記筐体内に引き回された電線が接続される端子が前記取付部材の裏面側に位置づけられ、当該取付部材の表面側から盤面を視認可能な状態で前記第２の開口に嵌め込まれた保護継電器と、
を備えたことを特徴とする制御盤。
【請求項２】
前記取付部材は、前記筐体に対して回動可能に連結されていることを特徴とする請求項１に記載の制御盤。
【請求項３】
前記取付部材は、鉛直方向に平行な軸心周りに回動可能に連結されていることを特徴とする請求項２に記載の制御盤。
【請求項４】
前記取付部材の裏面に設けられて、前記保護継電器に接続された電線を支持する支持部材を備えたことを特徴とする請求項２または３に記載の制御盤。
【請求項５】
前記第１の開口の周縁に配置される補強部材を備え、
前記取付部材は、前記補強部材に連結されていることを特徴とする請求項２〜４のいずれか一つに記載の制御盤。
【請求項６】
前記取付部材を第１の位置に位置づけた状態でロックするロック機構を備えたことを特徴とする請求項１〜５のいずれか一つに記載の制御盤。
【請求項７】
前記筐体に収容された遮断器を備えたことを特徴とする請求項１〜６のいずれか一つに記載の制御盤。
【請求項８】
前記保護継電器の盤は、当該保護継電器に対する操作を受け付ける操作部材、および、当該保護継電器の動作状態を表示する表示部材の少なくとも一方が配置されたことを特徴とする請求項１〜７のいずれか一つに記載の制御盤。
【発明の詳細な説明】
【技術分野】
【０００１】
この発明は、保護継電器を備えた制御盤に関する。
【背景技術】
【０００２】
直流電源設備から供給される直流の制御電源を必要とする設備（直流負荷）は、直流制御盤を介して直流電源設備と接続される。直流制御盤には、地絡が発生したときに当該地絡に起因して流れる地絡電流を検知する直流制御回路地絡継電器（以下「６４Ｄ」という）が設けられている。６４Ｄは、たとえば、グランドに対する正側母線および負側母線の電圧に基づいて地絡が発生したことを検出する。
【０００３】
６４Ｄは、各種操作スイッチや表示灯などが配置された操作盤を直流制御盤の正面側から視認できる状態で、筐体をパネルカットした貫通孔に嵌め込まれることによって直流制御盤に取り付けられる。このため、６４Ｄが備える零相変流器などは、直流制御盤の裏面側において、電線と接続されていた。
【０００４】
６４Ｄは直流電源母線に近い場所に設置される。このため、従来、点検作業や直流地絡故障探査時における解線作業に際しては、発電所や変電所などの受変電設備における母線を停電した状態で、直流制御盤の裏面側から作業をおこなっていた。
【０００５】
関連する技術として、具体的には、従来、たとえば、太陽光パネルから直流電力を交流電力に変換するインバータを有したパワーコンディショナと、パワーコンディショナから出力される交流電力を高圧電力に昇圧する変圧器と、変圧器と既存の電力系統の間に配置された遮断器とを１台の配電盤に収納し、配電盤は、パワーコンディショナを収納する室と遮断器及び継電器を収納する室とで形成し、遮断器および継電器を収納する室の後側に変圧器を配置した配電盤に関する技術があった（たとえば、下記特許文献１を参照。）。
【先行技術文献】
【特許文献】
【０００６】
【特許文献１】特開２０１６−１０３９７６号公報
【発明の概要】
【発明が解決しようとする課題】
【０００７】
しかしながら、上述した従来の技術は、点検作業や解線作業に際しての受変電設備における母線の停電が、受変電設備における停電をともなう。このため、点検作業中や解線作業中は、受変電設備における排水がおこなえなかったり照明が使用できなかったりするなどの不具合を生じるという問題があった。
【０００８】
また、６４Ｄが直流制御盤の表面に取り付けられているため、点検作業や解線作業は、直流制御盤の表面側から裏面側をのぞき込むような体勢でおこなわなくてはならず、直流制御盤における６４Ｄの取り付け位置によっては作業者は無理な体勢で直流制御盤の裏面側をのぞき込む場合があり、作業者にかかる負担が大きいという問題があった。
【０００９】
また、上述した特許文献１に記載された従来の技術は、太陽光発電システムで使用される各種電気機器を１つの筐体に納めることによって小型化を図るようにしているものの、点検作業や解線作業にかかる母線の停電を不要とする技術ではなく、また、これらの作業にかかる作業者の負担軽減を図ることはできないという問題があった。
【００１０】
この発明は、上述した従来技術による問題点を解消するため、保護継電器に対する作業にかかる作業者の負担軽減を図ることができる制御盤を提供することを目的とする。
【００１１】
また、この発明は、上述した従来技術による問題点を解消するため、直流電源母線を停電することなく保護継電器に対する作業を安全におこなうことができ、保護継電器に対する作業にかかる作業者の負担軽減を図ることができる制御盤を提供することを目的とする。
【００１２】
さらに、この発明は、上述した従来技術による問題点を解消するため、制御盤に接続された電気設備の利用者の利便性を確保することができる制御盤を提供することを目的とする。
【課題を解決するための手段】
【００１３】
上述した課題を解決し、目的を達成するため、この発明にかかる制御盤は、複数のパネル部材によって構成される中空の筐体と、前記筐体の正面に配置されたパネル部材を板厚方向に貫通する第１の開口と、板厚方向に貫通する第２の開口が形成された板形状をなし、表面を前記筐体の正面側に位置づけた状態で前記第１の開口を塞ぐ第１の位置と、裏面を外部に開放する第２の位置とに選択的に位置づけられる取付部材と、前記筐体内に引き回された電線が接続される端子が前記取付部材の裏面側に位置づけられ、当該取付部材の表面側から盤面を視認可能な状態で前記第２の開口に嵌め込まれた保護継電器と、を備えたことを特徴とする。
【００１４】
また、この発明にかかる制御盤は、上記の発明において、前記取付部材が、前記筐体に対して回動可能に連結されていることを特徴とする。
【００１５】
また、この発明にかかる制御盤は、上記の発明において、前記取付部材が、鉛直方向に平行な軸心周りに回動可能に連結されていることを特徴とする。
【００１６】
また、この発明にかかる制御盤は、上記の発明において、前記取付部材の裏面に設けられて、前記保護継電器に接続された電線を支持する支持部材を備えたことを特徴とする。
【００１７】
また、この発明にかかる制御盤は、上記の発明において、前記第１の開口の周縁に配置される補強部材を備え、前記取付部材が、前記補強部材に連結されていることを特徴とする。
【００１８】
また、この発明にかかる制御盤は、上記の発明において、前記取付部材を第１の位置に位置づけた状態でロックするロック機構を備えたことを特徴とする。
【００１９】
また、この発明にかかる制御盤は、上記の発明において、前記筐体に収容された遮断器を備えたことを特徴とする。
【００２０】
また、この発明にかかる制御盤は、上記の発明において、前記保護継電器の盤が、当該保護継電器に対する操作を受け付ける操作部材、および、当該保護継電器の動作状態を表示する表示部材の少なくとも一方が配置されたことを特徴とする。
【発明の効果】
【００２１】
この発明にかかる制御盤によれば、保護継電器に対する作業にかかる作業者の負担軽減を図ることができるという効果を奏する。
【００２２】
また、この発明にかかる制御盤によれば、直流電源母線を停電することなく保護継電器に対する作業を安全におこなうことができ、保護継電器に対する作業にかかる作業者の負担軽減を図ることができるという効果を奏する。
【００２３】
また、この発明にかかる制御盤によれば、制御盤に接続された電気設備の利用者の利便性を確保することができるという効果を奏する。
【図面の簡単な説明】
【００２４】
【図１】この発明にかかる実施の形態の直流制御盤の構成を示す説明図（その１）である。
【図２】この発明にかかる実施の形態の直流制御盤の構成を示す説明図（その２）である。
【図３】従来の直流制御盤の点検方法を示す説明図である。
【図４】この発明にかかる実施の形態の直流制御盤の点検方法を示す説明図である。
【発明を実施するための形態】
【００２５】
以下に添付図面を参照して、この発明にかかる制御盤の好適な実施の形態を詳細に説明する。
【００２６】
（直流制御盤の構成）
まず、この発明にかかる制御盤を実現する、実施の形態の直流制御盤の構成について説明する。図１および図２は、この発明にかかる実施の形態の直流制御盤の構成を示す説明図である。この発明にかかる実施の形態の直流制御盤は、分電盤を介して各負荷設備に接続され、ＤＣ１１０Ｖなどの直流の電源を必要とする電気設備に対して電源を供給する。
【００２７】
図１および図２に示すように、直流制御盤１００は、中空の筐体１０１を備えている。筐体１０１は、それぞれが方形の板形状をなす６つのパネル部材によって構成され、直方体（長方体）形状をなす。筐体１０１において、互いに正対するパネル部材の外形は、同一形状をなす。具体的に、正面部を構成するパネル部材１０１ａと背面部を構成するパネル部材とは、同一の外形状をなす。また、側面部を構成するパネル部材どうしは、同一の外形状をなす。また、天面部を構成するパネル部材と底面部を構成するパネル部材とは、同一の外形状をなす。
【００２８】
直流制御盤１００は、床面上に設置されたチャンネルベース１０２の天面に、筐体１０１の底面部を構成するパネル部材を当接させることによって、当該チャンネルベース１０２の上に設置されている。直流制御盤１００（直流制御盤１００の筐体１０１）とチャンネルベース１０２とは、分離可能な別体で構成されている。
【００２９】
直流制御盤１００は、筐体１０１内に収容された各種の制御機器を備えている（図示を省略する）。制御機器には、それぞれ、直流電源母線から、底面部を構成するパネル部材に設けられた開口を介して引き回された電線が接続されている。制御機器は、たとえば、電磁開閉器、配線用遮断器あるいは漏電遮断器などの遮断器によって実現することができる（いずれも図示を省略する）。また、制御機器は、たとえば、電磁開閉器、保護装置、遮断器などの動作の監視や制御をおこなうＰＬＣ（Ｐｒｏｇｒａｍｍａｂｌｅ  Ｌｏｇｉｃ  Ｃｏｎｔｒｏｌｌｅｒ）によって実現することができる。
【００３０】
筐体１０１の正面に配置されて筐体１０１の正面部を構成するパネル部材１０１ａには、制御機器を含む電気回路の接続と開放とを切り替える操作スイッチ１０３が設けられている。操作スイッチ１０３は、筐体１０１の内部に収容される制御機器に接続されている。操作スイッチ１０３は、作業者の操作を受け付けるレバー１０３ａを備え、レバー１０３ａの位置によって制御機器を含む電気回路の接続と開放とを切り替える。
【００３１】
直流制御盤１００は、直流地絡保護継電器１０４を備えている。直流地絡保護継電器１０４は、直流電源によって動作し、グランドに対する正側母線および負側母線の電圧を検出し、これらの電圧のバランスの崩れ具合に基づいて地絡の発生を検出する。直流地絡保護継電器１０４は、筐体１０１内部に収容される遮断器と接続されており、地絡事故を検出した場合に警報を出力する。直流地絡保護継電器１０４は、筐体１０１の正面部を構成するパネル部材１０１ａに取り付けられている。
【００３２】
直流地絡保護継電器１０４は、直方体（長方体）形状をなし、一面側（正面側）に操作盤を備えている。操作盤には、図示を省略する各種の操作ツマミや表示灯などが配置されている。操作盤は、光学的に透明な材料によって覆われた窓部１０５を備えたカバー（符号を省略する）によって覆われている。これにより、窓部１０５を介して操作盤を視認することができる。
【００３３】
カバーは、図示を省略するツマミネジによって直流地絡保護継電器１０４の本体部に固定されており、ツマミネジを緩めることによって直流地絡保護継電器１０４から取り外すことができる。カバーを取り外すことによって操作盤を開放し、操作盤に配置された操作ツマミを操作することができる。
【００３４】
また、直流地絡保護継電器１０４は、直流地絡が発生するときに直流電路上の検出地点を流れる電流を検出する零相変流器（ＺＣＴ）などの機器や、これらの機器に接続される端子を備えている。端子は、図２に示すように、直流地絡保護継電器１０４の他面側（背面側）に設けられており、筐体１０１内に引き回された電線２０１が接続されている。直流地絡保護継電器１０４は、取付部材１０６を介して、筐体１０１に取り付けられている。
【００３５】
取付部材１０６は、枠部材１０７を介して、筐体１０１の正面部を構成するパネル部材１０１ａに取り付けられている。枠部材１０７は、筐体１０１の正面部を構成するパネル部材１０１ａを板厚方向に貫通する取付用開口を縁取る枠形状をなし、内側に第１の開口２０２を形成する。第１の開口２０２を介して、筐体１０１の内側と外側とが連通されている。
【００３６】
枠部材１０７は、筐体１０１の正面部を構成するパネル部材１０１ａにネジ留めされ、筐体１０１の正面部を構成するパネル部材１０１ａに対して、取り外し可能に取り付けられている。この実施の形態においては、枠部材１０７によって補強部材を実現することができる。
【００３７】
枠部材１０７の外形は取付用開口より大きく、第１の開口２０２は取付用開口より小さい。取付部材１０６は、第１の開口２０２よりも大きい板形状をなす。この実施の形態の取付部材１０６は、長方形の平板形状をなす。取付部材１０６は、蝶番（平蝶番）１０８を介して枠部材１０７に連結されている。蝶番１０８は、１本の軸に２枚の金属プレートをそれぞれ回動可能に連結することによって構成されている。
【００３８】
蝶番１０８における一方の金属プレートは枠部材１０７に固定され、他方の金属プレートは取付部材１０６に固定されている。これにより、取付部材１０６は、蝶番１０８における軸を中心として回動することができる。蝶番１０８は、軸が鉛直方向に沿った状態で設けられている。これにより、取付部材１０６は、鉛直方向に平行な軸心周りに回動することができる。
【００３９】
取付部材１０６は、図１に示すように表面を筐体１０１の正面側に位置づけた状態で第１の開口２０２を塞ぐ第１の位置と、図２に示すように裏面を外部に開放する第２の位置と、の間において回動する。取付部材１０６が第２の位置に位置づけられている状態では、第１の開口２０２が開放され、第１の開口２０２を介して筐体１０１の内側と外側とが連通される。取付部材１０６は、第１の開口２０２を開放可能に閉塞する扉としても機能する。
【００４０】
取付部材１０６において、蝶番１０８とは反対側には、ツマミネジ１０９が設けられている。ツマミネジ１０９は、取付部材１０６を板厚方向に貫通しており、取付部材１０６が第１の位置に位置づけられた状態において、筐体１０１の正面部を構成するパネル部材１０１ａに設けられたネジ孔２０３に螺合される。これにより、取付部材１０６を第１の位置において固定し、取付部材１０６の不用意な回動を防止することができる。
【００４１】
直流地絡保護継電器１０４は、直流地絡保護継電器１０４の外形にあわせて取付部材１０６をパネルカットすることによって形成された第２の開口２０４に嵌め込まれた状態で、取付部材１０６に取り付けられている。直流地絡保護継電器１０４は、電線２０１が接続される端子が取付部材１０６の裏面側に位置づけられ、当該取付部材１０６の表面側から盤面を視認可能な状態で第２の開口２０４に嵌め込まれている。
【００４２】
取付部材１０６を第２の位置に位置づけて、取付部材１０６の裏面を外部に開放した状態では、取付部材１０６に取り付けられた直流地絡保護継電器１０４の背面側を外部に露出させることができる。これにより、直流地絡保護継電器１０４の背面に設けられた端子を、筐体１０１の正面側において、外部に露出させることができる。
【００４３】
取付部材１０６の裏面には、レール２０５が設けられている。端子に接続された電線２０１は、レール２０５に沿って筐体１０１の内部に引き回されている。これにより、取付部材１０６の回動に際して、端子に接続された電線２０１が取付部材１０６の回動軌跡に干渉することを防止できる。この実施の形態においては、レール２０５によって、この発明にかかる支持部材を実現することができる。
【００４４】
（従来の直流制御盤１００の点検方法）
つぎに、従来の直流制御盤１００の点検方法について説明する。図３は、従来の直流制御盤の点検方法を示す説明図である。図３においては、直流制御盤１００と同一部分は同一符号で示し説明を省略する。
【００４５】
図３に示すように、従来の直流制御盤３００において、直流地絡保護継電器１０４は、筐体３０１の正面部を構成するパネル部材３０１ａに直接取り付けられていた。このため、直流地絡保護継電器１０４の点検の点検に際して、作業者Ｐは、筐体３０１と直流地絡保護継電器１０４との隙間や直流制御盤３００の背面側から直流地絡保護継電器１０４を覗き込むようにして、直流地絡保護継電器１０４における電線２０１の接続状態を確認していた。
【００４６】
直流地絡保護継電器１０４は、頻繁に操作する装置ではないため、直流制御盤３００においては、直流地絡保護継電器１０４よりも操作頻度が高い各種の操作スイッチ１０３を操作性の良好な場所に配置し、直流地絡保護継電器１０４を筐体３０１における下側（床に近い位置）などに取り付けることがあった。このように、直流地絡保護継電器１０４が筐体３０１における下側に取り付けられている場合、作業者Ｐは、直流地絡保護継電器１０４の点検に際して、図３に示すように、姿勢を低くして、床面に顔を近づけるような体勢を取らなくてはならず、作業者Ｐにかかる負担が大きくなるとともに、充分な点検が難しいという状況が生じていた。
【００４７】
これに対し、この発明にかかる実施の形態の直流制御盤１００によれば、直流地絡保護継電器１０４に対する作業を、以下のようにしておこなうことができる。これにより、点検や解線などの直流地絡保護継電器１０４に対する作業にかかる作業者Ｐの負担を軽減することができる。
【００４８】
（直流制御盤１００の点検方法）
つぎに、この発明にかかる実施の形態の直流制御盤１００の点検方法について説明する。図４は、この発明にかかる実施の形態の直流制御盤１００の点検方法を示す説明図である。この発明にかかる実施の形態の直流制御盤１００の点検に際しては、まず、ツマミネジ１０９を操作して、取付部材１０６のロックを解除する。
【００４９】
つぎに、図４に示すように、蝶番１０８を支点として取付部材１０６を第２の位置に位置づける。取付部材１０６は、取付部材１０６の裏面が完全に視認できる位置まで回動させる。これにより、直流地絡保護継電器１０４の背面の全体を視認することができる。そして、この状態で、直流地絡保護継電器１０４の背面を視認して、背面に設けられた端子や、当該端子に接続された電線２０１、および、端子と電線２０１との接続状態などを確認する。
【００５０】
この発明にかかる実施の形態の直流制御盤１００においては、取付部材１０６の裏面が視認できるまで回動させることにより、作業者Ｐは、筐体１０１の正面側において、直流地絡保護継電器１０４の端子や、当該端子における電線２０１の接続状態などを確認することができる。
【００５１】
また、取付部材１０６を第２の位置に位置づけることにより第１の開口２０２を開放することができるので、筐体１０１に収容された各種の制御機器の状態や当該制御機器における電線２０１の接続状態などを、第１の開口２０２を介して目視点検することができる。点検作業が終了した後は、取付部材１０６を回動させて第１の位置に位置づける。その後、ツマミネジ１０９によって、取付部材１０６を第１の位置でロックする。
【００５２】
取付部材１０６は、直流地絡保護継電器１０４の点検作業のほか、直流地絡故障が発生した場合の探査に際して解線をおこなう場合に第２の位置に位置づけられる。通常、直流制御盤１００の正面側には、通路や点検などの作業空間として利用するスペースが確保されている。このようなスペースは、直流制御盤１００の周囲において、別の制御盤や壁が配置されることがある直流制御盤１００の側方や背面側には必ずしも確保できるものではない。
【００５３】
この発明にかかる実施の形態の直流制御盤１００は、取付部材１０６を筐体１０１の正面側に回動させることにより、作業スペースが確保された直流制御盤１００の正面側において、直流地絡保護継電器１０４の周囲に作業スペースを確保することができる。これにより、作業者Ｐは、直流制御盤１００の正面において、解線作業などの直流地絡保護継電器１０４に対する作業をおこなうことができる。
【００５４】
以上説明したように、この発明にかかる実施の形態の直流制御盤１００は、複数のパネル部材によって構成される中空の筐体１０１と、筐体１０１の正面に配置されたパネル部材を板厚方向に貫通する第１の開口２０２と、板厚方向に貫通する第２の開口２０４が形成された板形状をなし、表面を筐体１０１の正面側に位置づけた状態で第１の開口２０２を塞ぐ第１の位置と、裏面を外部に開放する第２の位置とに選択的に位置づけられる取付部材１０６と、筐体１０１内に引き回された電線が接続される端子が取付部材１０６の裏面側に位置づけられ、当該取付部材１０６の表面側から盤面を視認可能な状態で第２の開口２０４に嵌め込まれた直流地絡保護継電器１０４と、を備えたことを特徴としている。
【００５５】
この発明にかかる実施の形態の直流制御盤１００によれば、通常運転時は、取付部材１０６を第１の位置に位置づけることで、直流地絡保護継電器１０４を筐体１０１の内側に収容した状態で、筐体１０１の正面側から盤面を視認することができる。また、直流地絡保護継電器１０４の点検や直流地絡故障探査に際しての解線作業などの直流地絡保護継電器１０４に対する作業時は、取付部材１０６を第２の位置に位置づけることで、直流地絡保護継電器１０４を筐体１０１の正面側に引き出して外部に露出させることができる。
【００５６】
これにより、通常運転時における直流地絡保護継電器１０４の盤面（窓部１０５）の視認性を維持した状態で、直流地絡保護継電器１０４に対する作業に際し、直流制御盤１００の正面側において、直流地絡保護継電器１０４の周囲に作業スペースを確保することができる。そして、これによって、作業者Ｐは、無理な姿勢をとることなく、作業スペースが確保された直流制御盤１００の正面側において、点検や解線作業などの直流地絡保護継電器１０４に対する作業をおこなうことができるので、直流地絡保護継電器１０４に対する作業にかかる作業者Ｐの負担軽減を図ることができる。
【００５７】
また、直流制御盤１００の正面側において、直流地絡保護継電器１０４の周囲に作業スペースを確保することができるので、作業者Ｐは、直流電源母線を停電しなくても、充電部に触れないように制限されることなく、直流地絡保護継電器１０４に対する作業をおこなうことができる。これにより、直流電源母線を停電することなく直流地絡保護継電器１０４に対する作業を安全におこなうことができ、直流地絡保護継電器１０４に対する作業にかかる作業者Ｐの負担軽減を図ることができる。
【００５８】
また、直流電源母線を停電することなく、解線作業などの直流地絡保護継電器１０４に対する作業をおこなうことができるので、直流地絡保護継電器１０４が接続された電気回路を介して給電を受ける電気設備の停電を不要とすることができ、直流地絡保護継電器１０４に対する作業に際して電気設備が使用できない不具合を回避することができる。これにより、電気設備の利用者の利便性を確保することができる。
【００５９】
また、この発明にかかる実施の形態の直流制御盤１００によれば、取付部材１０６を第２の位置に位置づけることにより、第１の開口２０２を開放することができるので、第１の開口２０２を介して筐体１０１内に収容された機器の点検などをおこなうことができる。これにより、筐体１０１内に収容された機器の点検を容易におこなうことができる。
【００６０】
また、この発明にかかる実施の形態の直流制御盤１００は、取付部材１０６が、筐体１０１に対して回動可能に連結されていることを特徴としている。
【００６１】
この発明にかかる実施の形態の直流制御盤１００によれば、取付部材１０６を回動させるだけで第２の位置に位置づけ、直流地絡保護継電器１０４を筐体１０１から引き出して外部に露出させることができる。これにより、直流地絡保護継電器１０４を取付部材１０６に取り付けた状態で、直流地絡保護継電器１０４に対する作業をおこなうことができ、直流地絡保護継電器１０４に対する作業にかかる作業者Ｐの負担軽減を図ることができる。
【００６２】
また、この発明にかかる実施の形態の直流制御盤１００は、取付部材１０６が、鉛直方向に平行な軸心周りに回動可能に連結されていることを特徴としている。
【００６３】
この発明にかかる実施の形態の直流制御盤１００によれば、取付部材１０６が鉛直方向に平行な軸心周りに回動することにより、直流地絡保護継電器１０４の上下を入れ替えることなく、直流地絡保護継電器１０４を筐体１０１から引き出して外部に露出させることができる。これにより、直流地絡保護継電器１０４に対する作業を容易におこなうことができ、直流地絡保護継電器１０４に対する作業にかかる作業者Ｐの負担軽減を図ることができる。
【００６４】
また、この発明にかかる実施の形態の直流制御盤１００は、取付部材１０６の裏面に設けられて、直流地絡保護継電器１０４に接続された電線２０１を支持する支持部材を備えたことを特徴としている。
【００６５】
この発明にかかる実施の形態の直流制御盤１００によれば、レール２０５に電線２０１を固定することにより、取付部材１０６の回動にともなって、直流地絡保護継電器１０４に接続された電線が弛んだり、弛んだ電線が取付部材１０６の回動軌跡に干渉したりすることを防止できる。これにより、直流地絡保護継電器１０４に対する作業を円滑におこなうことができ、直流地絡保護継電器１０４に対する作業にかかる作業者Ｐの負担軽減を図ることができる。
【００６６】
また、この発明にかかる実施の形態の直流制御盤１００は、第１の開口２０２の周縁に配置される補強部材を備え、取付部材１０６が、補強部材に連結されていることを特徴としている。
【００６７】
この発明にかかる実施の形態の直流制御盤１００によれば、補強部材を介して取付部材１０６を連結することにより、取付部材１０６を回動可能に連結することにより、第２の位置に位置づけた際に直流地絡保護継電器１０４などの重量に起因する負担が回動軸に集中する場合にも、筐体１０１の正面に配置されたパネル部材の変形や損傷を防止することができる。これにより、直流地絡保護継電器１０４に対する作業にかかる作業者Ｐの負担軽減を図ることができる直流制御盤１００を、長期にわたって使用することができる。
【００６８】
また、この発明にかかる実施の形態の直流制御盤１００は、取付部材１０６を第１の位置に位置づけた状態でロックするロック機構を備えたことを特徴としている。
【００６９】
この発明にかかる実施の形態の直流制御盤１００によれば、取付部材１０６が不用意に動いてしまうことを防止し、直流地絡保護継電器１０４や筐体１０１内の充電部が不用意に露出されることを防止することができる。これにより、直流制御盤１００の周囲における安全性を確保することができる。
【００７０】
また、この発明にかかる実施の形態の直流制御盤１００は、筐体１０１に収容された遮断器を備えたことを特徴としている。
【００７１】
この発明にかかる実施の形態の直流制御盤１００によれば、筐体１０１の内側に収容されている遮断器を、直流制御盤１００の正面側から第１の開口２０２を介して点検することができる。これにより、直流地絡保護継電器１０４に対する作業にかかる作業者Ｐの負担軽減を図ることができる。
【００７２】
また、この発明にかかる実施の形態の直流制御盤１００は、直流地絡保護継電器１０４の操作盤が、直流地絡保護継電器１０４に対する操作を受け付ける操作部材、および、直流地絡保護継電器１０４の動作状態を表示する表示部材の少なくとも一方が配置されたことを特徴としている。
【００７３】
この発明にかかる実施の形態の直流制御盤１００によれば、直流地絡保護継電器１０４の操作性や動作確認の利便性を損なうことなく、直流地絡保護継電器１０４に対する作業にかかる作業者Ｐの負担軽減を図ることができる。
【産業上の利用可能性】
【００７４】
以上のように、この発明にかかる制御盤は、保護継電器を備えた制御盤に有用であり、特に、直流地絡保護継電器を備えた直流制御盤に適している。
【符号の説明】
【００７５】
１００  直流制御盤
１０１  筐体
１０１ａ  正面部を構成するパネル部材
１０４  直流地絡保護継電器
１０６  取付部材
１０７  枠部材
１０８  蝶番
２０１  電線
２０２  第１の開口
２０４  第２の開口
２０５  レール
【図１】
2020178518.tif 000003
【図２】
2020178518.tif 000004
【図３】
2020178518.tif 000005
【図４】
2020178518.tif 000006